(57)【要約】【課題】コンタクト端子のばね力を弱くさせることなく、電気部品の接触部が形成される溝部間に位置する突出部と、コンタクト端子の頂部との干渉を避けることができる。【解決手段】電気接続される接触部５がそれぞれ形成される複数の溝部４、及びこれらの溝部４間に形成される突出部３ａを有する電気部品３が装着されるハウジング１と、このハウジング１に備えられ、接触部５のそれぞれが接続される複数のコンタクト端子２とを備えると共に、コンタクト端子２のそれぞれの頂部２ｂに、ハウジング１に電気部品３が装着された際に、対向している電気部品３との距離が遠くなる部分を有する裾部２ｅを備えた。【選択図】図６
2005268183.tif 000002
【特許請求の範囲】
【請求項１】
電気接続される接触部がそれぞれ形成される複数の溝部、及びこれらの溝部間に位置する突出部を有する電気部品が装着されるハウジングと、このハウジングに備えられ、上記接触部のそれぞれが接続される複数のコンタクト端子とを備えると共に、
上記コンタクト端子は、頂部と、この頂部に形成され、上記ハウジングに上記電気部品が装着された際に、対向している上記電気部品との距離が遠くなる部分を有する裾部とを備えたことを特徴とする電気部品用ソケット装置。
【請求項２】
上記請求項１記載の発明において、
上記裾部を上記コンタクト端子の上記頂部付近の幅方向の両側に形成したことを特徴とする電気部品用ソケット装置。
【請求項３】
上記請求項１または２記載の発明において、
上記裾部がテーパ部から成ることを特徴とする電気部品用ソケット装置。
【請求項４】
上記請求項３記載の発明において、
上記ハウジングが角形から成り、上記コンタクト端子を上記ハウジングの四方の内壁のそれぞれに複数備えたことを特徴とする電気部品用ソケット装置。
【請求項５】
上記請求項１記載の発明において、
上記コンタクト端子が、上記頂部の幅寸法を上記電気部品の上記溝部の幅寸法よりも大きく設定したことを特徴とする電気部品用ソケット装置。
【請求項６】
上記請求項１記載の発明において、
上記裾部の長さ寸法を、上記頂部の形成領域の長さ寸法にほぼ等しく設定したことを特徴とする電気部品用ソケット装置。
【発明の詳細な説明】
【技術分野】
【０００１】
本発明は、電気部品が装着されるハウジング内に、電気部品に形成される複数の接触部のそれぞれと接続される複数のコンタクト端子を備えた電気部品用ソケット装置に関する。
【背景技術】
【０００２】
この種の従来技術として、例えば特許文献１に記載の技術がある。図１１は特許文献１に記載される従来の電気部品用ソケット装置を示す説明図である。
【０００３】
この図１１に示される従来のソケット装置は、全体形状が角形から成るハウジング、すなわち枠体１０の四方の内壁のそれぞれに複数のコンタクト端子１１を備え、プリント配線板１２上に設置されるようになっている。ハウジング１０に装着される電気部品１３は、ＩＣ回路を内蔵しており、四方の側部のそれぞれに複数の溝部１４が形成されている。溝部１４のそれぞれには、上述のコンタクト端子１１に接続される接触部１５が形成されている。
【特許文献１】特許第２６００８１６号公報
【発明の開示】
【発明が解決しようとする課題】
【０００４】
昨今、上述したソケット装置１０は、より小型化の実現が要望されている。例えばハウジング１０を１０ミリ角以下の大きさに設定することも望まれている。このような小型化に対処するためには、ハウジング１０の肉厚を薄くすることが考えられる。しかし、ハウジング１０の肉厚を薄くすると、図１１に示すコネクタ端子１１の頂部１１ａが露出する傾向になり、電気部品１３をハウジング１０に装着する際に、電気部品１３の溝部１４間に形成される突出部１６がコンタクト端子１１の頂部１１ａに干渉しやすくなる。このような干渉を生じると、コンタクト端子１１が変形し、ソケット装置としての信頼性が低下する。
【０００５】
また、上述した干渉を避けるために、コンタクト端子１１の幅寸法を狭くし、電気部品１３の溝部１４にコンタクト端子１１を挿入しやすくすることも考えられる。しかし、このように構成した場合には、コンタクト端子１１のばね力が弱くなり、電気部品１３の接触部１５に対する接触圧が小さくなり、上述とは別の観点からソケット装置としての信頼性が低下する。
【０００６】
本発明は、上述した従来技術における実状からなされたもので、その目的は、コンタクト端子のばね力を弱くさせることなく、電気部品の接触部が形成される溝部間に位置する突出部と、コンタクト端子の頂部との干渉を避けることができる電気部品用ソケット装置を提供することにある。
【課題を解決するための手段】
【０００７】
上記目的を達成するために、本発明は、電気接続される接触部がそれぞれ形成される複数の溝部、及びこれらの溝部間に位置する突出部を有する電気部品が装着されるハウジングと、このハウジングに備えられ、上記接触部のそれぞれが接続される複数のコンタクト端子とを備えると共に、上記コンタクト端子は、頂部と、この頂部に形成され、上記ハウジングに上記電気部品が装着された際に、対向している上記電気部品との距離が遠くなる部分を有する裾部とを備えたことを特徴としている。
【０００８】
このように構成した本発明は、コンタクト端子の頂部に裾部を形成したことから、頂部付近の電気部品と対向する側の幅寸法を小さくすることができ、この頂部付近を電気部品の溝部に挿入しやすくすることができると共に、この裾部を設けることによって幅寸法を小さくする必要がないために強度を確保でき、所望の接触圧が得られるばね力を確保できる。また、電気部品のハウジングへの装着に際し、溝部間に位置する突出部がコンタクト端子の頂部に接触することがあっても、その突出部はコンタクト端子の裾部によって案内されるので、円滑に電気部品をハウジングに装着させることができる。したがって、電気部品の上述の突出部とコンタクト端子の頂部との干渉を避けることができる。
【０００９】
また本発明は、上記発明において、上記裾部を上記コンタクト端子の上記頂部付近の両側に形成したことを特徴としている。
【００１０】
このように構成した本発明は、電気部品のハウジングへの装着に際し、１つのコンタクト端子の頂部付近の両側に形成した裾部のそれぞれが、対応する接触部が形成される電気部品の溝部の両側に位置する２つの突出部を円滑に案内することができる。
【００１１】
また本発明は、上記発明において、上記裾部がテーパ部から成ることを特徴としている。
【００１２】
このように構成した本発明は、裾部の形成が容易である。すなわち、所定の板材からのコンタクト端子素材の打ち抜き加工と同時にテーパ部から成る裾部を容易に形成でき、あるいはコンタクト端子素材の打ち抜き加工の後の工程としてテーパ部から成る裾部を叩打加工等で容易に形成することができる。
【００１３】
また本発明は、上記発明において、上記ハウジングが角形から成り、上記コンタクト端子を上記ハウジングの四方の内壁のそれぞれに複数備えたことを特徴としている。
【００１４】
また本発明は、上記発明において、上記コンタクト端子が、上記頂部の幅寸法を上記電気部品の上記溝部の幅寸法よりも大きく設定したことを特徴としている。
【００１５】
このように構成した本発明は、頂部の幅寸法を大きくしたことにより、コンタクト端子のばね力を強くすることができ、容易に所望の接触圧を確保できる。
【００１６】
また本発明は、上記発明において、上記裾部の長さ寸法を、上記頂部の形成領域の長さ寸法にほぼ等しく設定したことを特徴としている。
【００１７】
このように構成した本発明は、裾部を十分に長く設定してあることから、所定の板材から打ち抜いてコンタクト端子を製作するに際し、形成された頂部の付近に確実に電気部品の突出部との干渉を避ける裾部を配置させることができる。
【発明の効果】
【００１８】
本発明は、コンタクト端子の頂部に、ハウジングに電気部品が装着された際に、対向している電気部品との距離が遠くなる部分を有する裾部を備えたことから、コンタクト端子のばね力を低下させることなく、電気部品の接触部が形成される溝部間に位置する突出部と、コンタクト端子の頂部との干渉を避けることができる。これにより、電気部品の接触部とコンタクト端子との間に所望の接触圧を確保でき、また、電気部品をハウジングに装着する際のコンタクト端子の変形を防止でき、小型化の要望にも応えることができると共に、電気部品用ソケット装置としての高い信頼性を確保できる。
【発明を実施するための最良の形態】
【００１９】
以下，本発明に係る電気部品用ソケット装置を実施するための最良の形態を図に基づいて説明する。
【００２０】
図１は本発明の一実施形態を斜視図、図２は図１に示す一実施形態の平面図、図３は図２の一部を拡大して示した図である。図４は図１に示す一実施形態の縦断面図、図５は図４の一部を拡大して示した図である。図６は図１に示す一実施形態に備えられるコンタクト端子を示す説明図で、（ａ）図は平面図、（ｂ）図は正面図、（ｃ）図は斜視図、（ｄ）図は側面図である。
【００２１】
図１〜５に示すように、本実施形態は、例えば全体形状が角形のハウジング１を備え、このハウジング１の四方の内壁のそれぞれに、後述する電気部品３の溝部４に形成した接触部５に接触する複数のコンタクト端子２を備えている。
【００２２】
これらのコンタクト端子２のそれぞれは、図６に示すように、ハウジング１に例えば埋設保持される支持部２ａと、この支持部２ａに連設される頂部２ｂと、この頂部２ｂに連設されハウジング１の底部に向かって延設される接続部２ｃと、支持部２ａに連設され、図示しない回路基板に接続される端子部２ｄとを含んでいる。
【００２３】
特に本実施形態は、コンタクト端子２のそれぞれの頂部２ｂの側部に、ハウジング１に後述の電気部品３が装着された際に、対向している電気部品３との距離が遠くなる部分を有する裾部２ｅを備えている。この裾部２ｅは、例えばコンタクト端子２の頂部２ｂの両側に形成されるテーパ部から成っている。
【００２４】
また、図６の（ｂ）図に示すコンタクト端子２の支持部２ａの幅寸法Ｌ１は、後述する電気部品３に形成した溝部４の幅寸法よりも大きく設定してあり、接続部２ｃの幅寸法Ｌ２は、上述の溝部４へ挿入させるために溝部４の幅寸法よりも十分に小さく設定してある。裾部２ｅが設けられている頂部２ｂの幅寸法Ｌ３は、後述の電気部品３に形成した溝部４の幅寸法よりも大きく、かつ支持部２ａの幅寸法Ｌ１よりも小さく設定してある。すなわち各幅寸法は、
Ｌ２＜溝部４の幅寸法＜Ｌ３＜Ｌ１
の関係に設定してある。
【００２５】
また、図６の（ｄ）図に示すように、コンタクト端子２の裾部２ｅの領域を、頂部２ｂの形成長さ寸法にほぼ等しい長さ寸法Ｂに設定してある。すなわち、後述する電気部品３の溝部４間に位置する突出部３ａが接触し得る頂部２ｂ付近の領域の長さ寸法Ａよりも上述の長さ寸法Ｂを十分に長く設定してある。
【００２６】
図７は図１に示す一実施形態に電気部品を装着させる直前の状態を示す斜視図、図８は図１に示す一実施形態に電気部品を装着させた状態を示す縦断面図、図９は図１に示す一実施形態に電気部品を装着させた状態を示す平面図、図１０は図９の一部を拡大して示した図である。
【００２７】
図７，９，１０に示すように、電気部品３は例えばＩＣ回路を内蔵しており、四方の側部の下端部分に、上述した複数のコンタクト端子２にそれぞれ電気接続される接触部５が形成される複数の溝部４を備え、これらの溝部４間には突出部３ａが形成されている。
【００２８】
このような電気部品３が、図８〜１０に示すように、本実施形態のソケット装置のハウジング１内に装着されると、電気部品３の接触部５のそれぞれが対応するコンタクト端子２のそれぞれに導通する。これにより、電気部品３に内蔵されるＩＣ回路が、本実施形態が取付けられる図示しない回路基板に、本実施形態を介して電気接続され、ＩＣ回路と図示しない回路基板間の信号の送受信が可能となる。
【００２９】
特に本実施形態は、コンタクト端子２の頂部２ｂの側部に裾部２ｅを形成したことから、頂部２ｂ付近の電気部品３に対向する側の幅寸法を小さくすることができ、この頂部２ｂ付近を電気部品３の溝部４に挿入しやすくすることができると共に、この裾部２ｅを設けることによって幅寸法を小さくする必要がなくなるために強度を確保でき、所望の接触圧が得られるばね力を確保できる。また、電気部品３のハウジング１への装着に際し、電気部品３の突出部３ａがコンタクト端子２の頂部２ｂに接触することがあっても、その突出部３ａはコンタクト端子２の裾部２ｅに案内されるので、円滑に電気部品３をハウジング１に装着させることができる。したがって、電気部品３の突出部３ａとコンタクト端子２の頂部２ｂとの干渉を避けることができる。
【００３０】
上述したように、本実施形態によれば、コンタクト端子２のばね力を低下させることなく、電気部品３の突出部３ａとコンタクト端子２の頂部２ｂとの干渉を避けることができる。これにより、電気部品３の接触部５とコンタクト端子２との間に所望の接触圧を確保でき、また、電気部品３をハウジング１に装着する際のコンタクト端子２の変形を防止でき、小型化の要望にも応えることができると共に、電気部品用ソケット装置としての高い信頼性を確保できる。
【００３１】
また、上述のような電気部品３のハウジング１への装着に際し、１つのコンタクト端子２の頂部２ｂ付近の両側に形成した裾部２ｅのそれぞれが、対応する接触部５が形成される電気部品３の溝部４の両側に位置する２つの突出部３ａを円滑に案内することができ、電気部品３の装着作業が容易である。
【００３２】
また、コンタクト端子２の裾部２ｅはテーパ部から成るので形成が容易である。すなわち、所定の板材からのコンタクト端子素材の打ち抜き加工と同時にテーパ部から成る裾部２ｅを容易に形成できる。あるいは、コンタクト端子素材の打ち抜き加工の後の工程としてテーパ部から成る裾部２ｅを叩打加工等によって容易に形成することができる。
【００３３】
また、コンタクト端子２の頂部２ｂの幅寸法を大きくしたことにより、このコンタクト端子２のばね力を強くすることができ、容易に所望の接触圧を確保できる。
【００３４】
また、コンタクト端子２の裾部２ｅの領域を十分に長く設定してあることから、所定の板材から打ち抜いてコンタクト端子２を製作するに際し、形成した頂部２ｂの付近に確実に電気部品３の突出部３ａとの干渉を避ける裾部２ｅを配置させることができる。
【図面の簡単な説明】
【００３５】
【図１】本発明の電気部品用ソケット装置の一実施形態を示す斜視図である。
【図２】図１に示す一実施形態の平面図である。
【図３】図２の一部を拡大して示した図である。
【図４】図１に示す一実施形態の縦断面図である。
【図５】図４の一部を拡大して示した図である。
【図６】図１に示す一実施形態に備えられるコンタクト端子を示す説明図で、（ａ）図は平面図、（ｂ）図は正面図、（ｃ）図は斜視図、（ｄ）図は側面図である。
【図７】図１に示す一実施形態に電気部品を装着させる直前の状態を示す斜視図である。
【図８】図１に示す一実施形態に電気部品を装着させた状態を示す縦断面図である。
【図９】図１に示す一実施形態に電気部品を装着させた状態を示す平面図である。
【図１０】図９の一部を拡大して示した図である。
【図１１】従来の電気部品用ソケット装置を示す説明図である。
【符号の説明】
【００３６】
１    ハウジング
２    コンタクト端子
２ａ  支持部
２ｂ  頂部
２ｃ  接続部
２ｄ  端子部
２ｅ  裾部
３    電気部品
３ａ  突出部
４    溝部
５    接触部
【図１】
2005268183.tif 000003
【図２】
2005268183.tif 000004
【図３】
2005268183.tif 000005
【図４】
2005268183.tif 000006
【図５】
2005268183.tif 000007
【図６】
2005268183.tif 000008
【図７】
2005268183.tif 000009
【図８】
2005268183.tif 000010
【図９】
2005268183.tif 000011
【図１０】
2005268183.tif 000012
【図１１】
2005268183.tif 000013